(57)【要約】【課題】断熱性能を高めることができる二重窓構造体を提供する。【解決手段】本発明の二重窓構造体１０は、外窓１６と内窓１８とから構成される。内窓１８は、外窓１６に空気層２０を介して隔置される。外窓１６を構成する２枚のガラス板２２、２２の室内側面２４、２４、及び内窓１８を構成する２枚のガラス板２６、２６の室外側面２８、２８に、酸化スズを主体とする低放射膜３０がそれぞれ備えられている。これにより、低放射膜３０を備えていない二重窓構造体と比較して、断熱性能が高まる。また、酸化スズを主体とする低放射膜３０は、銀を主体とする低放射膜８０と比較して、酸化し難く、機械耐久性が高いため、外気に連通した空気層２０に面する室内側面２４又は室外側面２８に備えても、酸化することはなく、また、容易に傷付くこともない。【選択図】図２
2013204279.tif 000002
【特許請求の範囲】
【請求項１】
建築物の窓用開口部に設けられた外窓と、前記窓用開口部に設けられるとともに前記外窓に対して前記建築物の室内側に配置され、前記外窓に外気と連通した空気層を介して隔置された内窓とを備えた二重窓構造体において、
前記外窓のガラス板の室内側面、又は前記内窓のガラス板の室外側面のうち少なくとも一方の面に、酸化スズを主体とする低放射膜が備えられていることを特徴とする二重窓構造体。
【請求項２】
前記外窓のガラス板は外窓用複層ガラスであり、前記内窓のガラス板は内窓用複層ガラスであり、
前記外窓用複層ガラスの室内側ガラス板の室内側面、又は前記内窓用複層ガラスの室外側ガラス板の室外側面のうち少なくとも一方の面に、前記酸化スズを主体とする低放射膜が備えられている請求項１に記載の二重窓構造体。
【請求項３】
前記外窓用複層ガラスの室外側ガラス板の室内側面、前記外窓用複層ガラスの室内側ガラス板の室外側面、前記内窓用複層ガラスの室内側ガラス板の室外側面、又は前記内窓用複層ガラスの室外側ガラス板の室内側面のうち少なくとも一方の面に、銀を主体とする低放射膜が備えられている請求項２に記載の二重窓構造体。
【請求項４】
前記外窓のガラス板は外窓用単板ガラスであり、前記内窓のガラス板は内窓用複層ガラスであり、
前記外窓用単板ガラスの室内側面、又は前記内窓用複層ガラスの室外側ガラス板の室外側面のうち少なくとも一方の面に、前記酸化スズを主体とする低放射膜が備えられている請求項１に記載の二重窓構造体。
【請求項５】
前記内窓用複層ガラスの室内側ガラス板の室外側面、又は前記内窓用複層ガラスの室外側ガラス板の室内側面のうち少なくとも一方の面に、銀を主体とする低放射膜が備えられている請求項４に記載の二重窓構造体。
【発明の詳細な説明】
【技術分野】
【０００１】
本発明は、二重窓構造体に関する。
【背景技術】
【０００２】
建築物の外壁として窓ガラスを使用する場合には、室内の冷暖房の効率を高めるために、所定の断熱性能（熱貫流率：Ｕ値（JIS R3107:1998））が要求され、このため、近年では、窓ガラスのガラス板として複層ガラスが使用される傾向にある。
【０００３】
複層ガラスは周知の通り、単板のガラス板と比較して断熱性が高くＵ値は低い。しかしながら、単に同厚の２枚、又は３枚のガラス板を重ねた２層、又は３層の複層ガラスを使用しただけでは、所定の断熱性能を得られないことが特許文献１に開示されている。
【０００４】
また、特許文献１には、Ｕ値を低減させて断熱性能を高めることを目的としたＬｏｗ−Ｅ(Low-emissivity)ガラスを有する複層ガラスが開示されている。このＬｏｗ−Ｅガラスは、ガラス板の表面に、低放射膜（酸化スズ（ＳｎＯ２）を主体とした低放射膜、又は銀（Ａｇ）を主体とした低放射膜）を、スパッタリング装置等を用いて成膜したものであり、赤外線による熱エネルギーの放射率を低くする機能を有する。すなわち、Ｌｏｗ−Ｅガラスは、熱を通し難い性能を有するので、遮熱性及び断熱性が高いという利点がある。
【０００５】
また、銀を主体とした低放射膜は、空気中の水分等によって酸化し易い性質を有するため、複層ガラスに用いる場合は、密閉された中空層に面する面側に成膜されるのが一般的である。
【０００６】
更に、酸化スズを主体とする低放射膜は、銀を主体とする低放射膜と比較して、熱線の反射性能が低く、すなわちＵ値が高く放射率εが高いため遮熱性は低い。一方で、酸化スズを主体とする低放射膜は、銀を主体とする低放射膜と比較して、酸化し難く、機械耐久性が高いため傷付き難いという利点がある。
【０００７】
ところで最近では、特許文献２に開示されているように、建築物の窓用開口部の窓枠内に外障子用框材と内障子用框材とを建て込み、外障子用框材と内障子用框材とにガラス板を嵌め込んだ断熱構造の二重窓構造体が知られている。また、特許文献２の二重窓構造体は、外窓のガラス板として複層ガラスが使用され、内窓のガラス板として単板のガラス板が使用されている。
【先行技術文献】
【特許文献】
【０００８】
【特許文献１】特開２００５−６０１４１号公報
【特許文献２】特開２００７−９２４０５号公報
【発明の概要】
【発明が解決しようとする課題】
【０００９】
上述の如く、特許文献１には、断熱性能を高めるためにＬｏｗ−Ｅガラスを使用した複層ガラスが開示されている。また、特許文献２には外窓のガラス板として複層ガラスを使用し、内窓のガラス板として単板のガラス板を使用した二重窓構造体が開示されている。
【００１０】
本発明は、特許文献２に記載された二重窓構造体において、従来には存在しない優れた断熱性能を有する二重窓構造体を提供することを目的とするが、特許文献１、２には、その目的を達成するための具体的な構成については開示されていない。
【００１１】
なお、二重窓構造体とは、外窓と内窓との間に介在する空気層が外気に対して封止されておらず、外気と連通した形態のものを指す。よって、本発明が対象とする二重窓構造体は、中空層が外気に対して封止された、引用文献１の複層ガラスとは構成が根本的に相違する。
【００１２】
本発明は、このような事情に鑑みてなされたもので、断熱性能を高めることができる二重窓構造体を提供することを目的とする。
【課題を解決するための手段】
【００１３】
本発明は、前記目的を達成するために、建築物の窓用開口部に設けられた外窓と、前記窓用開口部に設けられるとともに前記外窓に対して前記建築物の室内側に配置され、前記外窓に外気と連通した空気層を介して隔置された内窓とを備えた二重窓構造体において、前記外窓のガラス板の室内側面、又は前記内窓のガラス板の室外側面のうち少なくとも一方の面に、酸化スズを主体とする低放射膜が備えられていることを特徴とする二重窓構造体を提供する。
【００１４】
本発明の二重窓構造体によれば、外窓のガラス板の室内側面、又は内窓のガラス板の室外側面のうち少なくとも一方の面に、酸化スズを主体とする低放射膜を備えたので、前記低放射膜の無い二重窓構造体と比較して、断熱性能を高めることができる。また、酸化スズを主体とする低放射膜は、銀を主体とする低放射膜と比較して、酸化し難く、機械耐久性が高いため、外気に連通した空気層に面する面側に備えても、酸化することはなく、また、容易に傷付くこともない。
【００１５】
本発明の前記外窓のガラス板は外窓用複層ガラスであり、前記内窓のガラス板は内窓用複層ガラスであり、前記外窓用複層ガラスの室内側ガラス板の室内側面、又は前記内窓用複層ガラスの室外側ガラス板の室外側面のうち少なくとも一方の面に、前記酸化スズを主体とする低放射膜が備えられていることが好ましい。
【００１６】
本発明は、外窓及び内窓の双方のガラス板を複層ガラスによって構成した場合の発明であり、この場合には、外窓用複層ガラスの室内側ガラス板の室内側面、又は内窓用複層ガラスの室外側ガラス板の室外側面のうち少なくとも一方の面に、酸化スズを主体とする低放射膜を備えればよい。
【００１７】
本発明によれば、前記外窓用複層ガラスの室外側ガラス板の室内側面、前記外窓用複層ガラスの室内側ガラス板の室外側面、前記内窓用複層ガラスの室内側ガラス板の室外側面、又は前記内窓用複層ガラスの室外側ガラス板の室内側面のうち少なくとも一方の面に、銀を主体とする低放射膜が備えられていることが好ましい。
【００１８】
本発明によれば、酸化スズを主体とする低放射膜と比較して、熱線の反射性能が高く遮熱性が高い、銀を主体とする低放射膜を、前記面のうち少なくとも一方の面に備えることにより、断熱性能をより一層高めることができる。銀を主体とする低放射膜は、酸化スズを主体とする低放射膜と比較して、酸化し易く機械耐久性が低いが、複層ガラスの密閉された中空層に面する面側に備えることにより、酸化し易く機械耐久性が低いという懸念を解消できる。
【００１９】
本発明の前記外窓のガラス板は外窓用単板ガラスであり、前記内窓のガラス板は内窓用複層ガラスであり、前記外窓用単板ガラスの室内側面、又は前記内窓用複層ガラスの室外側ガラス板の室外側面のうち少なくとも一方の面に、前記酸化スズを主体とする低放射膜が備えられていることが好ましい。
【００２０】
本発明は、外窓のガラス板を外窓用単板ガラス、内窓のガラス板を内窓用複層ガラスによって構成した場合の発明であり、この場合には、外窓用単板ガラスの室内側面、又は内窓用複層ガラスの室外側ガラス板の室外側面のうち少なくとも一方の面に、酸化スズを主体とする低放射膜を備えればよい。
【００２１】
本発明によれば、前記内窓用複層ガラスの室内側ガラス板の室外側面、又は前記内窓用複層ガラスの室外側ガラス板の室内側面のうち少なくとも一方の面に、銀を主体とする低放射膜が備えられていることが好ましい。
【００２２】
本発明によれば、酸化スズを主体とする低放射膜と比較して、熱線の反射性能が高く遮熱性が高い、銀を主体とする低放射膜を、内窓用複層ガラスの室内側ガラス板の室外側面、又は内窓用複層ガラスの室外側ガラス板の室内側面のうち少なくとも一方の面に備えることにより、断熱性能をより一層高めることができる。銀を主体とする低放射膜は、酸化スズを主体とする低放射膜と比較して、酸化し易く機械耐久性が低いが、複層ガラスの密閉された中空層に面する面側に備えることにより、酸化し易く機械耐久性が低いという懸念を解消できる。
【００２３】
なお、二重窓構造体の全体のＵ値は、外窓のコンダクタンス、内窓の熱抵抗、及び空気層の熱抵抗を加算して逆数をとることにより算出できる。
【００２４】
また、外窓と内窓との間に介在する空気層の厚さ（幅）は、窓枠の大きさから鑑みて５０ｍｍ〜１５０ｍｍが好ましい。また、前記空気層の内部で空気の対流が発生すると断熱性能が低下しＵ値が高くなるので、対流発生を抑制するためには８０ｍｍ以下であることがより好ましい。更に、空気層内に対流を抑制する仕切板等の対流抑制部材を配置すれば、断熱性能を高められるのでより一層好ましい。
【００２５】
本発明の二重窓構造体は、人の出入りに供さない引違い窓、嵌め殺し窓に適用可能であり、また、テラス用窓のような人の出入りに供される窓にも適用できる
【発明の効果】
【００２６】
以上説明したように本発明によれば、断熱性能の高い二重窓構造体を提供できる。
【図面の簡単な説明】
【００２７】
【図１】実施の形態の二重窓構造体の基本的構成を示した斜視図
【図２】図１に示した二重窓構造体の縦断面図
【図３】図２に示した二重窓構造体の要部を拡大して示した縦断面図
【図４】他の実施の形態の二重窓構造体の要部を拡大して示した縦断面図
【図５】第１比較例の二重窓構造体の要部を拡大して示した縦断面図
【図６】第２比較例の二重窓構造体の要部を拡大して示した縦断面図
【発明を実施するための形態】
【００２８】
以下、添付図面に従って本発明に係る二重窓構造体の好ましい実施の形態について説明する。
【００２９】
図１は、実施の形態の二重窓構造体１０の基本構成を示した斜視図である。図２は、図１に示した二重窓構造体１０の縦断面図である。
【００３０】
実施の形態の二重窓構造体１０は、図１の二点鎖線で示す建築物１２の窓用開口部１４に設けられた外窓１６と内窓１８とから構成される。内窓１８は、外窓１６に対して建築物１２の室内側に配置されるとともに、外窓１６に空気層２０を介して隔置されている。空気層２０は、外窓１６と内窓１８とによって封止（密閉）されておらず、外気と連通されている。
【００３１】
そして、実施の形態の二重窓構造体１０は、図２の如く外窓１６を構成する２枚のガラス板２２、２２の室内側面２４、２４、及び内窓１８を構成する２枚のガラス板２６、２６の室外側面２８、２８に、酸化スズを主体とする低放射膜３０がそれぞれ備えられている。なお、低放射膜３０は、室内側面２４又は室外側面２８のうち少なくとも一方の面に備えていればよいが、室内側面２４及び室外側面２８に備えることによって二重窓構造体１０の断熱性能が片面に備えるよりも向上する。
【００３２】
実施の形態の二重窓構造体１０によれば、外窓１６のガラス板２２の室内側面２４、又は内窓１８のガラス板２６の室外側面２８のうち少なくとも一方の面に、酸化スズを主体とする低放射膜３０を備えているので、低放射膜３０を備えていない二重窓構造体と比較して、断熱性能を高めることができる。また、酸化スズを主体とする低放射膜３０は、銀を主体とする低放射膜と比較して、酸化し難く、機械耐久性が高いため、外気に連通した空気層２０に面する室内側面２４又は室外側面２８に備えても、酸化することはなく、また、容易に傷付くこともない。
【００３３】
実施の形態の二重窓構造体１０は図２の如く、外窓１６のガラス板２２が複層ガラス（外窓用複層ガラス）３２であり、内窓１８のガラス板２６も同様に複層ガラス（内窓用複層ガラス）３４である。そして、複層ガラス３２の室内側ガラス板３６の室内側面２４、及び複層ガラス３４の室外側ガラス板３８の室外側面２８に、低放射膜３０が備えられている。
【００３４】
また、二重窓構造体１０の外窓１６は、２枚の複層ガラス３２、３２が上枠４０と下枠４２とによって支持されて開閉される引違い窓である。複層ガラス３２の周縁部は、樹脂製のグレージングチャンネル４４を介して金属製の框４６に挟持されており、框４６を構成する上框４８が上枠４０に支持され、框４６を構成する下框５０が下枠４２に支持されている。なお、図１において、２枚の複層ガラス３２、３２を施錠するクレセントは省略している。
【００３５】
内窓１８も外窓１６と同様に、図２の如く２枚の複層ガラス３４、３４が上枠５２と下枠５４とによって支持されて開閉される引違い窓である。複層ガラス３４の周縁部は、樹脂製のグレージングチャンネル５６を介して金属製の框５８に挟持されており、框５８を構成する上框６０が上枠５２に支持され、框５８を構成する下框６２が下枠５４に支持されている。なお、図１において、２枚の複層ガラス３４、３４を施錠するクレセントは省略している。
【００３６】
以下、複層ガラス３２、３４の構成を説明するが、複層ガラス３４は複層ガラス３２の構成と同一なので、ここでは複層ガラス３２の構成を説明し、複層ガラス３４の構成については説明を省略する。
【００３７】
図２の如く複層ガラス３２は、一定の間隔をもって対向して隔置された室外側ガラス板６４と室内側ガラス板３６とを有する。
【００３８】
室外側ガラス板６４と室内側ガラス板３６は、その間に中間層６６が画成されるように、スペーサ６８を介して隔置される。スペーサ６８は、室外側ガラス板６４と室内側ガラス板３６との間隔が一定に保持されるように、室外側ガラス板６４と室内側ガラス板３６の周縁部に沿って配置される。
【００３９】
スペーサ６８は、室外側ガラス板６４と室内側ガラス板３６とに対向する面が、一次シール材（不図示）によって室外側ガラス板６４と室内側ガラス板３６とに接着される。また、スペーサ６８の外側（中間層６６と反対側）には、室外側ガラス板６４と室内側ガラス板３６との間に形成される凹状の溝に二次シール材（不図示）が充填される。前記二次シール材は、前記一次シール材に接するように充填される。一次シール材と二次シール材とによって、室外側ガラス板６４と室内側ガラス板３６との間に画成される中間層６６が外気から遮断される。
【００４０】
スペーサ６８は、中空状に構成されており、スペーサ６８の内側（中間層６６側）の面には、スペーサ６８の長手方向（紙面に垂直な方向）に沿って通気孔７０が所定の間隔で備えられている。通気孔７０は、スペーサ６８の中空部に貫通されており、これによって、前記中空部と中間層６６とが連通されている。また、スペーサ６８の中空部は、粒状ゼオライト等の乾燥剤７２が充填されているので、中間層６６の空気が通気孔７０を介して乾燥剤によって乾燥される。
【００４１】
なお、スペーサ６８は、アルミニウムを主材質とする金属製スペーサが使用されるが、硬質の樹脂製のスペーサを使用してもよい。
【００４２】
また、前記一次シール材としては、通常架橋処理されないブチルゴム、もしくは、ポリイソブチレンをベースとし、着色と補強を目的としたカーボンブラックなどのフィラーを含有せしめたものが好適である。
【００４３】
更に、前記二次シール材としては、ポリサルファイド、シリコーン、ウレタンなどの硬化性エラストマをベースとし、ガラスとの接着性を発現するために適当な変性を加えられたものなどが好適である。
【００４４】
以上が複層ガラス３２の構成であるが、複層ガラス３２を構成する室外側ガラス板６４と室内側ガラス板３６の種類については、特に限定されない。例えば、双方とも一般的なソーダライムガラスで構成することもできるが、少なくとも一方に耐熱防火性ガラス（例えば、網入りガラス、耐熱強化ガラス、低膨張強化ガラス、透明結晶化ガラス等）を使用することにより、防火性能を向上させることもできる。
【００４５】
なお、複層ガラス３２は、室外側ガラス板６４と室内側ガラス板３６とからなる二層構造であるが、三枚以上のガラス板によって構成される複層ガラスであってもよい。
【００４６】
また、複層ガラス３２の中間層６６に、クリプトンガス、アルゴンガス、又はキセノンガスを封入してもよい。クリプトンガス、アルゴンガス、キセノンガスは、空気より熱伝導率が小さいので断熱性能が向上する。
【００４７】
図３は、図２に示した二重窓構造体１０の要部を拡大して示した縦断面図である。
【００４８】
前記の如く図２、図３に示した二重窓構造体１０は、外窓１６及び内窓１８の双方のガラス板２２、２６を複層ガラス３２、３４によって構成した場合の形態である。この二重窓構造体１０の場合には、複層ガラス３２の室内側ガラス板３６の室内側面２４、又は複層ガラス３４の室外側ガラス板３８の室外側面２８のうち少なくとも一方の面に、酸化スズを主体とする低放射膜３０を備えれば、断熱性能を高めることができる。
【００４９】
また、二重窓構造体１０によれば、図３の如く複層ガラス３２の室外側ガラス板６４の室内側面７４、及び複層ガラス３４の室内側ガラス板７６の室外側面７８に、銀を主体とする低放射膜８０が備えられている。
【００５０】
なお、低放射膜８０が備えられる面は、室内側面７４及び室外側面７８に限定されるものではなく、室内側面７４及び室外側面７８の少なくとも一方の面に備えられればよい。また、複層ガラス３２の室内側ガラス板３６の室外側面８２、又は複層ガラス３４の室外側ガラス板３８の室内側面８４のうち少なくとも一方の面に、銀を主体とする低放射膜８０を備えてもよい。
【００５１】
銀を主体とする低放射膜８０は、酸化スズを主体とする低放射膜３０と比較して、熱線の反射性能が高く遮熱性が高い。よって、銀を主体とする低放射膜８０を、前述した面７４、７８、８２、８４のうち少なくとも一方の面に備えることにより、断熱性能をより一層高めることができる。
【００５２】
また、銀を主体とする低放射膜８０は、酸化スズを主体とする低放射膜３０と比較して、酸化し易く機械耐久性が低いが、複層ガラス３２、３４の密閉された中間層６６に面する面側に備えられているので、酸化し易く機械耐久性が低いという懸念を解消できる。
【００５３】
図４は、本発明の他の実施の形態に関する二重窓構造体９０の要部を拡大して示した縦断面図である。なお、図１〜図３に示した二重窓構造体１０と同一又は類似の部材については同一の符号を付して説明する。
【００５４】
図４に示す二重窓構造体９０は、外窓１６のガラス板を単板ガラス（外窓用単板ガラス）９２とし、内窓１８のガラス板を複層ガラス３４としたものである。そして、単板ガラス９２の室内側面９４、及び複層ガラス３４の室外側ガラス板３８の室外側面２８に、酸化スズを主体とする低放射膜３０が備えられている。なお、低放射膜３０は、室内側面９４又は室外側面２８のうち少なくとも一方の面に備えられていればよい。
【００５５】
また、図４に示す二重窓構造体９０は、複層ガラス３４の室内側ガラス板７６の室外側面７８に、銀を主体とする低放射膜８０が備えられている。なお、低放射膜８０は、複層ガラス３４の室外側ガラス板３８の室内側面８４に備えてもよい。
【００５６】
以上の構成により、図４に示した二重窓構造体９０も、図１〜図３に示した二重窓構造体１０と同様の効果を得ることができる。
【００５７】
なお、図１〜図４に示した二重窓構造体１０、９０は、引違い窓に本発明を適用した例であるが、本発明の二重窓構造体は嵌め殺し窓、テラス用窓にも適用できる。
【００５８】
次に、JIS A4710:2004に準拠した断熱性能試験に基づいて断熱性能試験を実施した試験用二重窓構造体を図３、図５、図６に示す。
【００５９】
図３の試験用二重窓構造体は、上述した実施の形態の二重窓構造体１０である。
【００６０】
一方、図５、図６に示した二重窓構造体１００、１１０は、第１、第２比較例の二重窓構造体であり、要部の縦断面がそれぞれ示されている。
【００６１】
図５に示した第１比較例の二重窓構造体１００は、外窓１６が複層ガラス３２、内窓１８も複層ガラス３４であり、複層ガラス３２の室外側ガラス板６４の室内側面７４、及び複層ガラス３４の室内側ガラス板７６の室外側面７８に、銀を主体とする低放射膜８０が備えられたものである。
【００６２】
また、図６に示す二重窓構造体１１０は、外窓１６が複層ガラス３２、内窓１８も複層ガラス３４であり、複層ガラス３２の室外側ガラス板６４の室内側面７４、及び複層ガラス３４の室内側ガラス板７６の室外側面７８に、銀を主体とする低放射膜８０が備えられている。また、二重窓構造体１１０は、複層ガラス３２の室内側ガラス板３６の室外側面８２、及び複層ガラス３４の室外側ガラス板３８の室内側面８４に、酸化スズを主体とする低放射膜３０が備えられている。
【００６３】
図３、図５、図６に示した二重窓構造体１０、１００、１１０は、二重窓構造体１０が実施例であり、二重窓構造体１００、１１０は比較例である。各構成の複層ガラス３２、３４を構成するガラス板のサイズ、ガラス板の厚さ、複層ガラスの空気層の厚さを表1に示す。また、低放射膜３０、８０のスペックは等しいものである。
【００６４】
表１に二重窓構造体１０、１１０、１１０に用いた低放射膜の条件を示した。
【００６５】
【表１】
2013204279.tif 000003
【００６６】
このような二重窓構造体１０、１００、１１０を上記断熱性能試験に基づいて断熱性能試験を実施した結果、図３の二重窓構造体１０のＵ値（窓全体の熱貫流率）が０．８２（Ｗ／ｍ２・Ｋ）であったのに対し、比較例の二重窓構造体１００、１１０はＵ値がともに０．９２（Ｗ／ｍ２・Ｋ）であった。
【００６７】
よって、図３に示した二重窓構造体１０は、比較例の二重窓構造体１００、１１０と比較して断熱性能が向上したことが判明した。
【符号の説明】
【００６８】
１０…二重窓構造体、１２…建築物、１４…窓用開口部、１６…外窓、１８…内窓、２０…空気層、２２…ガラス板、２４…室内側面、２６…ガラス板、２８…室外側面、３０…低放射膜、３２…複層ガラス、３４…複層ガラス、３６…室内側ガラス板、３８…室外側ガラス板、４０…上枠、４２…下枠、４４…グレージングチャンネル、４６…框、４８…上框、５０…下框、５２…上枠、５４…下枠、５６…グレージングチャンネル、５８…框、６０…上框、６２…下框、６４…室外側ガラス板、６６…中間層、６８…スペーサ、７０…通気孔、７２…乾燥剤、７４…室内側面、７６…室内側ガラス板、７８…室外側面、８０…低放射膜、８２…室外側面、８４…室内側面、９０…二重窓構造体、９２…単板ガラス、９４…室内側面、１００…二重窓構造体、１１０…二重窓構造体
【図１】
2013204279.tif 000004
【図２】
2013204279.tif 000005
【図３】
2013204279.tif 000006
【図４】
2013204279.tif 000007
【図５】
2013204279.tif 000008
【図６】
2013204279.tif 000009